(57)【要約】【課題】複数のＬＥＤ素子をライン状に整列させて光源を構成する画像読取装置において、光源の残余点灯時間を正確に知った上で、再利用する。【解決手段】前の画像読取装置から光源を取り外す際に、光源の累積点灯時間を表示部に表示させる（Ｓ２）。サービスマンは、光源を取り外して、次の画像読取装置に取り付ける際に、次の画像読取装置の入力手段から累積点灯時間を手動で入力する（Ｓ３の「ＹＥＳ」）。制御手段の記憶手段は、この累積点灯時間を更新記憶し、光源が点灯される後とに、累積点灯時間を更新していく。次に画像読取装置においては、手動に累積点灯時間の入力がなかった場合は、シャーディング補正時の光源の出力とＣＣＤの出力とに基づいて、自動的に累積点灯時間を検出する。【選択図】図６
2008177663.tif 000002
【特許請求の範囲】
【請求項１】
原稿の画像面を光源によりライン状に照射し、前記ラインと前記原稿とが交差するように前記光源又は前記原稿を移動させ、前記光源から出射されて前記原稿の画像面で反射された反射光を結像レンズを通して固定撮像素子に導く画像読取装置において、
ライン状に整列されて前記光源を構成し、前記原稿の画像面を照射する点光源としての複数の光源素子と、
前記光源の累積点灯時間を記憶する記憶手段と、
前記記憶手段に記憶されている前記累積点灯時間を表示部に表示させる表示手段と、
前記累積点灯時間を手動で入力するための入力手段と、
前記入力手段から前記累積点灯時間が入力されたときに、すでに前記記憶手段に記憶されている前記累積点灯時間を、前記入力手段から入力された前記累積点灯時間に更新する更新手段と、を備えた、
ことを特徴とする画像読取装置。
【請求項２】
前記光源が別の光源素子によって新たに構成されたときに、前記新たな光源の前記累積点灯時間を検出する累積点灯時間検出手段を備え、
前記更新手段は、前記累積点灯時間検出手段から前記累積点灯時間が入力されたときに、すでに前記記憶手段に記憶されている前記累積点灯時間を、前記累積点灯時間検出手段から入力された前記累積点灯時間に更新する、
ことを特徴とする請求項１に記載の画像読取装置。
【請求項３】
前記累積点灯時間検出手段は、シェーディング補正時の前記固体撮像素子の出力に基づいて前記光源の前記累積点灯時間を検出する、
ことを特徴とする請求項２に記載の画像読取装置。
【請求項４】
前記入力手段による前記累積点灯時間の入力があった場合に、前記累積点灯時間検出手段による前記光源の前記累積点灯時間の検出をキャンセルするキャンセル手段を有する、
ことを特徴とする請求項３に記載の画像読取装置。
【請求項５】
原稿の画像面をライン状に照射する光源と、前記ラインと前記原稿とが直交するように、前記光源又は前記原稿を移動させる移動装置と、前記光源から出射されて前記原稿の画像面で反射された反射光が結像レンズを通って導光される固体撮像素子と、を備えた画像読取装置において、
ライン状に整列されて前記光源を構成し、前記原稿の画像面を照射する点光源としての複数の光源素子と、
前記光源の寿命を記憶する記憶手段と、
前記記憶手段に記憶されている前記寿命を表示部に表示させる表示手段と、
前記寿命を手動で入力するための入力手段と、
前記入力手段から前記寿命が入力されたときに、すでに前記記憶手段に記憶されている前記寿命を、前記入力手段から入力された前記寿命に更新する更新手段と、を備えた、
ことを特徴とする画像読取装置。
【請求項６】
前記光源が別の光源素子によって新たに構成されたときに、前記新たな光源の前記寿命を検出する寿命検出手段を備え、
前記更新手段は、前記寿命検出手段から前記寿命が入力されたときに、すでに前記記憶手段に記憶されている前記寿命を、前記寿命検出手段から入力された前記寿命に更新する、
ことを特徴とする請求項５に記載の画像読取装置。
【請求項７】
前記寿命検出手段は、シェーディング補正時の前記固体撮像素子の出力に基づいて前記光源の前記寿命を検出する、
ことを特徴とする請求項６に記載の画像読取装置。
【請求項８】
前記入力手段による前記寿命の入力があった場合に、前記寿命検出手段による前記光源の前記寿命の検出をキャンセルするキャンセル手段を有する、
ことを特徴とする請求項７に記載の画像読取装置。
【請求項９】
前記光源素子が白色ＬＥＤである、
ことを特徴とする請求項１乃至８のいずれか１項に記載の画像読取装置。
【請求項１０】
原稿の画像を読み取る画像読取部と、前記画像読取部によって読み取られた原稿の画像情報に基づいてシート上に画像を形成する画像形成部と、前記画像形成部にシートを供給するシート給送部と、を備えた画像形成装置において、
前記画像読取部に、請求項１乃至９のいずれか１項に記載の画像読取装置が配設されている、
ことを特徴とする画像形成装置。
【発明の詳細な説明】
【技術分野】
【０００１】
本発明は、点光源である複数の光源素子をライン状に整列させて光源を構成し、この光源で原稿を照射したときの反射光に基づいて画像を読み取る画像読取装置に関する。
【背景技術】
【０００２】
複写機，プリンタ，ファクシミリ等の画像形成装置に使用される画像読取装置は、光源によって原稿の画像面を照射し、その反射光を結像レンズを介して固体撮像素子に導くことで画像を読み取る。
【０００３】
従来、光源としてはキセノンランプ等の棒状の光源が主に使用されていた。ここで、光源の寿命を、初期光量の８０％までとすると、キセノンランプでは、その寿命が約１０００時間である。これに対し、近時、画像読取装置の光源として注目されている光源素子、例えばＬＥＤ素子では、寿命が１００００時間以上であるとされている。この１００００時間という寿命は、光源の装着先である画像読取装置や、画像読取装置を備えた複写機，プリンタ等の画像形成装置の寿命よりも長い。したがって、画像読取装置や画像形成装置が寿命に達した場合でも、ＬＥＤ素子はこれらの装置から取り外して、リユース品として、新たな装置に装着して再利用することが可能である。
【０００４】
このようなリユース品を再利用するための技術が、特許文献１に提案されている。この特許文献１では、高圧電源ユニットを再利用するための、電源装置検査システム、電源装置検査方法、及び検査装置について記載されている。
【特許文献１】特開２００５−２８６５８号公報
【発明の開示】
【発明が解決しようとする課題】
【０００５】
上述のように、特許文献１は、電源ユニットを再利用するための技術であり、本願発明が再利用しようとしている光源に対して、構造が複雑であるため、検査システム、検査方法、及び検査装置が複雑になるという問題があった。すなわち、これらの検査システム等は、光源素子のような比較的、構成が簡単で機能が単純であり、超寿命の部材に対しては不適である。
【０００６】
そこで、本発明は、光源素子を、その構成や機能に適した方法で再利用できるようにした画像読取装置及びそれを備えた画像形成装置を提供することを目的とするものである。
【課題を解決するための手段】
【０００７】
請求項１に係る発明は、原稿の画像面を光源によりライン状に照射し、前記ラインと前記原稿とが交差するように前記光源又は前記原稿を移動させ、前記光源から出射されて前記原稿の画像面で反射された反射光を結像レンズを通して固定撮像素子に導く画像読取装置に関する。この発明に係る画像読取装置は、ライン状に整列されて前記光源を構成し、前記原稿の画像面を照射する点光源としての複数の光源素子と、前記光源の累積点灯時間を記憶する記憶手段と、前記記憶手段に記憶されている前記累積点灯時間を表示部に表示させる表示手段と、前記累積点灯時間を手動で入力するための入力手段と、前記入力手段から前記累積点灯時間が入力されたときに、すでに前記記憶手段に記憶されている前記累積点灯時間を、前記入力手段から入力された前記累積点灯時間に更新する更新手段と、を備えた、ことを特徴としている。
【０００８】
請求項２に係る発明は、請求項１に係る画像読取装置において、前記光源が別の光源素子によって新たに構成されたときに、前記新たな光源の前記累積点灯時間を検出する累積点灯時間検出手段を備え、前記更新手段は、前記累積点灯時間検出手段から前記累積点灯時間が入力されたときに、すでに前記記憶手段に記憶されている前記累積点灯時間を、前記累積点灯時間検出手段から入力された前記累積点灯時間に更新する、ことを特徴としている。
【０００９】
請求項３に係る発明は、請求項２に係る画像読取装置において、前記累積点灯時間検出手段は、シェーディング補正時の前記固体撮像素子の出力に基づいて前記光源の前記累積点灯時間を検出する、ことを特徴としている。
【００１０】
請求項４に係る発明は、請求項３に係る画像読取装置において、前記入力手段による前記累積点灯時間の入力があった場合に、前記累積点灯時間検出手段による前記光源の前記累積点灯時間の検出をキャンセルするキャンセル手段を有する、ことを特徴としている。
【００１１】
請求項５に係る発明は、原稿の画像面をライン状に照射する光源と、前記ラインと前記原稿とが直交するように、前記光源又は前記原稿を移動させる移動装置と、前記光源から出射されて前記原稿の画像面で反射された反射光が結像レンズを通って導光される固体撮像素子と、を備えた画像読取装置に関する。この発明に係る画像読取装置は、ライン状に整列されて前記光源を構成し、前記原稿の画像面を照射する点光源としての複数の光源素子と、前記光源の寿命を記憶する記憶手段と、前記記憶手段に記憶されている前記寿命を表示部に表示させる表示手段と、前記寿命を手動で入力するための入力手段と、前記入力手段から前記寿命が入力されたときに、すでに前記記憶手段に記憶されている前記寿命を、前記入力手段から入力された前記寿命に更新する更新手段と、を備えた、ことを特徴としている。
【００１２】
請求項６に係る発明は、請求項５に係る画像読取装置において、前記光源が別の光源素子によって新たに構成されたときに、前記新たな光源の前記寿命を検出する寿命検出手段を備え、前記更新手段は、前記寿命検出手段から前記寿命が入力されたときに、すでに前記記憶手段に記憶されている前記寿命を、前記寿命検出手段から入力された前記寿命に更新する、ことを特徴としている。
【００１３】
請求項７に係る発明は、請求項６に係る画像読取装置において、前記寿命検出手段は、シェーディング補正時の前記固体撮像素子の出力に基づいて前記光源の前記寿命を検出する、ことを特徴としている。
【００１４】
請求項８に係る発明は、請求項７に係る画像読取装置において、前記入力手段による前記寿命の入力があった場合に、前記寿命検出手段による前記光源の前記寿命の検出をキャンセルするキャンセル手段を有する、ことを特徴としている。
【００１５】
請求項９に係る発明は、請求項１乃至８のいずれか１項に記載の画像読取装置において、前記光源素子が白色ＬＥＤである、ことを特徴としている。
【００１６】
請求項１０に係る発明は、原稿の画像を読み取る画像読取部と、前記画像読取部によって読み取られた原稿の画像情報に基づいてシート上に画像を形成する画像形成部と、前記画像形成部にシートを供給するシート給送部と、を備えた画像形成装置に関する。この発明に係る画像形成装置は、前記画像読取部に、請求項１乃至９のいずれか１項に記載の画像読取装置が配設されている、ことを特徴としている。
【発明の効果】
【００１７】
請求項１の発明によれば、例えば、寿命に達した画像読取装置（以下「前の画像読取装置」という。）から、複数の光源素子で構成されている光源をリユース品として取り出して別の画像読取装置（以下「次の画像読取装置」という。）で再利用する場合、前の画像読取装置において、記憶手段に記憶されている光源の累積点灯時間を、表示手段により表示部に表示させる。作業者は、この累積点灯時間を、前の画像読取装置から光源を取り外して次の画像読取装置に取り付ける際に、次の画像読取装置の入力手段から手動で入力する。入力された累積点灯時間は、次の画像読取装置の記憶手段に記憶される。このとき、次の画像読取装置の更新手段は、すでに別の高原の累積点灯時間が記憶されている場合には、この累積点灯時間を、入力された累積点灯時間に更新して記憶する。このように、請求項１の発明によれば、光源を次の画像読取装置で再利用する際に、その光源の累積点灯時間がわかるので、光源の寿命から逆算して、その光源の残余点灯時間（寿命までの使用可能な時間）を知ることができる。また、累積点灯時間や残余点灯時間を比較的簡単な構成で、精度よく知ることができる。さらにこれにより、リユース品としての光源が寿命に達する前に、あらかじめ次の光源の準備をすることが可能であり、また、例えば、リユース品の累積点灯時間を知らないでリユース品が比較的、短時間で寿命に達した場合に予想されるユーザのクレーム等を防止して装置に対する信頼性を高めることができる。
【００１８】
請求項２の発明によれば、累積時間検出手段は、別の光源素子によって光源を構成された場合に、新たな光源の累積点灯時間を検出する。また、更新手段は、この検出結果に基づいて記憶手段内の累積点灯時間を更新する。したがって、現在、装着している光源の累積点灯時間を表示手段によって表示部に表示させることができる。例えば、ユーザは、表示部に表示された累積点灯時間を見て、光源を装着してから寿命までの残余点灯時間を知ることができる。
【００１９】
請求項３の発明によれば、シェーディング補正時の固体撮像素子の出力に基づいて、光源素子の累積点灯時間を検出することができる。すなわち、シェーディング補正時の固定撮像素子の出力に基づいて、光源の出力を検出することができる。また、光源は、点灯電流を一定にした場合、累積点灯時間と出力との間に相関関係があるので、光源の出力に基づいて光源の累積点灯時間を検出することができる。すなわち、他に特別な装置等を追加することなく、光源の累積点灯時間を検出することができる。
【００２０】
請求項４の発明によれば、入力手段から入力される累積点灯時間は、実際に計時された実測値であるのに対し、累積点灯時間検出手段によって検出される累積点灯時間は、固体撮像素子の出力に基づいて検出されたものであり、誤差となる要因を多く含む。そこで、累積点灯時間が入力手段から入力された場合には、累積点灯時間検出手段によって改めて累積点灯時間を検出する必要がないため、キャンセル手段によって検出動作をキャンセルする。
【００２１】
累積点灯時間検出手段による累積点灯時間の検出は、例えば、累積点灯時間が入力手段から入力されなかった場合、例えば、前の画像読取装置から光源を取り外す場合に、その累積点灯時間の確認を忘れた場合や、確認はしたが次の画像読取装置でその値を入力手段で入力するのを忘れたりした場合に有効である。
【００２２】
請求項５〜８は、この順位にそれぞれ上述の請求項１〜４にそれぞれ対応しており、請求項１〜４における「累積点灯時間」を、「寿命」としたものである。なお、寿命を、累積点灯時間＋残余点灯時間（寿命までの使用可能な時間）とすれば、請求項５〜８は、内容的に請求項１〜４内容と同等になり、同様の効果を奏することができる。ただし、例えば、「寿命」を、光源における、単なる累積点灯時間や残余点灯時間のほかに、点灯電流値等の他の点灯条件を含めたものとすることもできる。この場合には、寿命は、累積点灯時間や残余点灯時間に対し、その点灯条件によって決定することができる補正係数を掛けたものとして実際の使用状況にさらに近いものとすることができる。
【００２３】
請求項９の発明によれば、光源素子は、白色ＬＥＤであるので、他の色のＬＥＤ光源と比較して、カラーの画像読取りや高速での画像読取りに適している。
【００２４】
請求項１０の発明によれば、画像読取装置における上述の請求項１〜９の効果を、画像形成装置として奏することができる。
【発明を実施するための最良の形態】
【００２５】
以下、本発明の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
【００２６】
＜実施形態１＞
図１〜図４を参照して、本発明に係る画像読取装置１１について説明する。このうち、図１，図２は、画像読取装置１１の縦断面を正面側（前側）から見た図であり、さらに、図１は光学系を、また図２は駆動系を説明する図である。図３，図４は、光源１２と原稿のサイズと画像読取時の原稿の位置との関係を説明する上面図であり、さらに、図３は原稿サイズがＡ列，Ｂ列である場合、また図４は原稿サイズがインチサイズである場合を示している。なお、以下の説明では、図１〜図４中における左右を、画像読取装置１１の左右として、また図１，図２中における上下を、画像読取装置１１の上下として、また図３，図４中における下、上をそれぞれ画像読取装置１１の前、後として説明する。さらに、図３，図４中における原稿の上下方向の長さを通紙幅（又は単に「幅」）、左右方向の長さを搬送方向長さ（又は単に「長さ」）とする。
【００２７】
図２に示すように、画像読取装置１１は、照明装置１０と結像レンズ１３とＣＣＤ（固体撮像素子）１４とを備えている。さらに、照明装置１０は、光源１２と駆動装置（移動装置）１５とを備えている。これら光源１２、駆動装置１５、照明装置１０、結像レンズ１３、ＣＣＤ１４は、いずれも直方体状の筐体（フレーム）１６の内側の収納室Ｓに配設されている。筐体１６は、その上面に開口部１７を有していて、この開口部１７には、透明なコンタクトガラス１８が配設されている。後述するように、原稿Ｇを固定読みする際には、原稿Ｇがこのコンタクトガラス１８上に、後端基準で載置される。コンタクトガラス１８の左端には、後述する左指示板２０が配設されていて、この左指示板２０の左側には、原稿Ｇの流し読み（後述）時に使用されるコンタクトガラス１８ａが配設されている。
【００２８】
図３，図４に示すように、コンタクトガラス１８は、その上面に載置されるシート状の原稿Ｇのうちの、サイズが最大な原稿Ｇよりも大きい長方形状に形成されている。コンタクトガラス１８における、左端には前後方向に長い左指示板２０が、また後端及び前端には、それぞれ左右方向に長い後指示板２１、前指示板２２が配設されている。左指示板２０の後端と後指示板２１の左端とが交差する位置が、読取基準位置Ｐ０１となっている。コンタクトガラス１８に載置される原稿Ｇは、その１つの角部、すなわち左端でかつ後端に位置する角部（基準の角部）をこの読取基準位置Ｐ０１に合わせた位置（所定の位置）に、いわゆる後端基準で載置される。
【００２９】
図３，図４においては、基準の角部を読取基準位置Ｐ０１に合わせた状態の種々のサイズの原稿Ｇを図示している。ここで、各サイズの原稿Ｇにおける、基準の角部の対角に相当する位置には、それぞれの原稿Ｇのサイズ、及び向きを表示してある。例えば、図３中のＢ５，Ａ４は、それぞれの原稿Ｇにおける「長辺」を左指示板２０に合わせたときの原稿の位置を示す。以下、これを原稿Ｇの「横置き」という。また、Ｂ５Ｒ，Ａ４Ｒは、それぞれの原稿Ｇにおける「短辺」を左指示板２０に合わせたときの原稿Ｇの位置を示している。以下、この「Ｒ」が付されたものを原稿の「縦置き」といって、「横置き」とは区別している。なお、これに従うと、図３中の「Ｂ４」，「Ａ３」については、本来、「Ｂ４Ｒ」，「Ａ３Ｒ」と表記すべきものであるが、これらのサイズの原稿Ｇは、横置きすることができず、つまり、一通りの置き方しかできず、区別する必要がないので、簡略化して表記している。
【００３０】
上述の「Ｂ５」，「Ｂ５Ｒ」，「Ａ４」，「Ａ４Ｒ」，「Ｂ４」，「Ａ３」等の表記は，実際は、コンタクトガラス１８上ではなく、左指示板２０及び後指示板２１に表記されている。例えば、左指示板２０における符号Ｐ１，Ｐ２，Ｐ３，Ｐ４で示す位置には、この順に「Ｂ５Ｒ」，「Ａ４Ｒ」，「Ｂ５，Ｂ４」，「Ａ４，Ａ３」という表記なされている。一方、後指示板２１における符号Ｐ５，Ｐ６，Ｐ７，Ｐ８で示す位置には、この順に「Ｂ６Ｒ，Ｂ５」，「Ａ５Ｒ，Ａ４」，「Ｂ５Ｒ」，「Ａ４Ｒ」という表記がなされている。これにより、ユーザは、原稿Ｇをコンタクトガラス１８上の所定の位置に載置したときに、その原稿サイズ及び向きを知ることができる。したがって、例えば、原稿Ｇの画像読取り結果に基づいて複写機やプリンタによって紙等のシート上に画像を形成するような場合には、画像形成に供されるシートのサイズや向きを選択する際の参考とすることができる。なお、図４中では、原稿サイズを、インチサイズで表示している。図３中のコンタクトガラス１８における、「Ａ４，Ａ３」の通紙幅よりも少し狭い幅が、画像の最大読取幅（最大照射幅）となり、また図３中のコンタクトガラス１８における、「Ａ３」の搬送長さよりも少し長い範囲が、画像の最大読取長さ（最大照射長さ）となる。後述する光源１２は、最大読取幅と最大読取長さとに囲まれた最大読取領域全体を照射することができるようになっている。
【００３１】
図１〜図４に示すように、コンタクトガラス１８の左端側の下方には、照明用光学移動枠ユニット２３が配設されている。照明用光学移動枠ユニット２３は、上述の最大読取幅よりも前後方向の長さが長い移動枠２４を有している。この移動枠２４には、光源１２が取り付けられた光源用メイン基板（基板）２５と、反射板（反射部材）２６と、第１ミラー２７が搭載されている。このうち光源用メイン基板２５は、図３，図４に示すように、前後方向の長さが、最大読取幅よりも長くなるように形成されていて、その上面には、光源１２及び導光レンズ１９が取り付けられている。本実施形態では、光源１２は、点光源であるＬＥＤ素子（光源素子）Ｌ１〜Ｌ２２を複数（図３，図４では２２個）、前後方向にライン状に整列させて構成している。ここで、ライン状とは、１本の直線上に整列された場合に限らず、例えば千鳥状に整列して、実質的に直線状である場合も含めるものとする。これらＬＥＤ素子Ｌ１〜Ｌ２２は、ライン方向（前後方向）に沿って原稿の画像面をむら無く照射できる所定のピッチＰ（本実施形態では１５ｍｍ）で整列されている。図３，図４において、最後端のＬＥＤ素子Ｌ１の中心から、最前端のＬＥＤ素子Ｌ２２の中心までの距離が、３１５ｍｍ（＝１５ｍｍ×２１）に設定されていて、これらＬＥＤ素子Ｌ１とＬＥＤ素子Ｌ２２との間に、図３に示す例では、通紙幅が最大のＡ４サイズの原稿の長辺（＝２９７ｍｍ）、またはＡ３サイズの原稿の短辺（＝２９７ｍｍ）が入るように、また図４に示す例では、長辺又は短辺の長さが１１インチ（≒２７９ｍｍ）の原稿の長辺又は短辺が入るように設定されている。複数のＬＥＤ素子Ｌ１〜Ｌ２２によって構成された光源１２は、図１に示すように、コンタクトガラス１８の上面に設定されている読取ラインＬを右斜め下方から直接照射するようになっている。これらＬＥＤ素子Ｌ１〜Ｌ２２は、図１に示す制御手段７０によって、個別に点灯（オン）及び消灯（オフ）が制御される。また、そのタイミングについても個別に制御されるようになっている。
【００３２】
図１に示すように、反射板２６は、読取ラインＬから下ろした垂線に対して、上述の光源１２とほぼ線対称の位置に配置されている。上述のように、光源１２は、コンタクトガラス１８上の原稿Ｇを右斜め下方から照射しているため、原稿の左端に影が形成されて、この影が前後方向の直線上の画像として読み込まれがちである。反射板２６は、光源１２からの光を反射して読取ラインＬに導いて、この影を除去するためのものである。なお、本実施形態では、反射板２６は、光源１２からの光を反射して原稿Ｇの画像面を間接照射し、これにより、直接照射による物面照度ムラを解消する部材としても使用されている。反射板２６については後に詳述する。
【００３３】
照明用光学移動枠ユニット２３における、読取ラインＬの直下に位置する部分には、第１ミラー２７が配設されている。第１ミラー２７は、左斜め上の４５度を向けた状態で取り付けられている。以上のように、照明用光学移動枠ユニット２３は、移動枠２４に光源１２、光源用メイン基板２５、反射板２６、第１ミラー２７を搭載した状態で、左右方向に敷設した光学レール（ガイド部材）２９に沿って左右方向に移動できる。つまり、ライン状（線状）の光源１２に対して、直交する方向に移動することができるようになっている。この照明用光学移動枠ユニット２３は、右方に移動しながら読取ラインＬに向けて光源１２から光を照射し、原稿の画像面からの反射光を次に説明する第２ミラー２８に導くものである。
【００３４】
図１，図２に示すように、コンタクトガラス１８の左端側の下方には、上述の照明用光学移動枠ユニット２３の左方に、反射用光学移動枠ユニット３０が配設されている。反射用光学移動枠ユニット３０は、上述の最大読取幅よりも前後方向の長さが長い移動枠３１を有している。この移動枠３１には、右斜め下４５度を向けた状態で第２ミラー２８が、また右斜め上４５度を向けた姿勢で第３ミラー３２が搭載されている。さらに、この移動枠３１は、その前端と後端とにおいて、可動プーリ３３を回動自在に支持している。以上のように、反射用光学移動枠ユニット３０は、第２ミラー２８、第３ミラー３２、可動プーリ３３を搭載した状態で、左右方向に敷設された光学レール（ガイド部材）２９に沿って左右方向に移動できるようになっている。この反射用光学移動枠ユニット３０は、右方に移動しながら、上述の照明用光学移動枠ユニット２３の第１ミラー２７からの光を第２ミラー２８、第３ミラー３２で反射して後述の結像レンズ１３に導くものである。
【００３５】
図２に示すように、筐体１６の左端近傍には前端と後端とに固定左プーリ３４，３４が、また筐体１６の右端近傍には前端と後端とに固定右プーリ３５，３５がそれぞれ回動自在に配設されている。また、図２中の固定右プーリ３５，３５の下方には、正逆回転可能なモータ３６が配設されている。さらに、モータ３６の左方には、駆動軸３７と一体の駆動プーリ３８が配設されていて、モータ３６の出力軸４０と駆動プーリ３８との間には、駆動ベルト４１が張設されている。駆動軸３７の前端と後端とには、ワイヤドラム４２，４２が固定されており、これらワイヤドラム４２，４２には、それぞれ光学ワイヤ４３，４３が巻き掛けられている。これら光学ワイヤ４３，４３の一方の端部４４，４４は、筐体１６の左側壁４５の内面に固定されている。光学ワイヤ４３，４３は、ここから右方に延びて、反射用光学移動枠ユニット３０の可動プーリ３３，３３の右半部に掛け渡されて左方に折り返し、固定左プーリ３４，３４の左半部に掛け渡された後、右方に折り返して固定右プーリ３５，３５に向かって延びる。さらに、固定右プーリ３５，３５の右半部に掛け渡されて左方に延び、途中で照明用光学移動枠ユニット２３に固定された後、さらに左方に延びて、可動プーリ３３，３３の左半部に掛け渡されて右方に折り返し、レンズ取付台４６上に突設されたフック４７に係止される。このような光学ワイヤ４３，４３の引き回しに基づき、モータ３６が図２中の反時計回りに回転すると、駆動ベルト４１、駆動プーリ３８、駆動軸３７を介して、ワイヤドラム４２，４２が同じく反時計回りに回転する。これに伴い、光学ワイヤ４３，４３に引かれて、照明用光学移動枠ユニット２３及び反射用光学移動枠ユニット３０が右方に移動する。この際、反射用光学移動枠ユニット３０は、その可動プーリ３３，３３がいわゆる動滑車として作用するため、移動距離が照明用光学移動枠ユニット２３の移動距離の半分となる。これにより、照明用光学移動枠ユニット２３及び反射用光学移動枠ユニット３０の移動にかかわらず、コンタクトガラス１８から結像レンズ１３に至る光路長が一定に保持されて、次に説明する結像レンズ１３を通過した光がＣＣＤ１４上で像を結ぶようになっている。なお、本実施形態では、上述のように光源１２を移動させるための構成全体が駆動装置（移動装置１５）に相当する。
【００３６】
図２に示すように、結像レンズ１３は、上述のレンズ取付台４６に固定されたレンズ取付板４８上に固定されている。光源１２から照射された光は、原稿Ｇの画像面で反射されて、同図に示す光路Ｋをたどる。すなわち、画像面からの反射光は、第１ミラー２７、第２ミラー２８、第３ミラー３２で反射されて結像レンズ１３に入射される。入射された光は、次に説明するＣＣＤ１４上で結像される。
【００３７】
ＣＣＤ１４は、その左端面に固定されて上端部５０が左方に折曲されたＣＣＤ取付板５１を介して、上述のレンズ取付台４６に固定された「コ」字形のＣＣＤ調整板５２に取り付けられている。ＣＣＤ調整板５２の前端部と後端部には、内径に雌ねじが螺刻されたボス５３，５３が固定されていて、これらのボス５３，５３には、ＣＣＤ取付板５１の上端部５０を貫通したピン５４，５４が螺合されている。さらに、ＣＣＤ取付板５１とＣＣＤ調整板５２との間には、圧縮ばね５５，５５が介装されていて、ＣＣＤ取付板５１を上方に付勢している。この状態で、ピン５４，５４を時計回りあるいは反時計回りに回すことで、ＣＣＤ取付板５１を介してＣＣＤ１４の高さ位置を微調整することができる。この微調整をＣＣＤ１４の前端部及び後端部で行うことで、ＣＣＤ１４の上下方向の位置調整を行うことができるようになっている。
【００３８】
本実施形態では、画像読取装置１１は、図２に示すように、原稿Ｇの流し読み時の移動装置に相当する自動原稿給送装置６０を備えている。自動原稿給送装置６０全体は、後端側が、筐体１６におけるコンタクトガラス１８の後方に位置する部分によって揺動自在に支持されており、前端側がほぼ上下方向に開閉自在になっている。自動原稿給送装置６０は、原稿Ｇの搬送方向に沿っての上流側から順に配設された給紙トレイ６１、搬送ローラ６２、排紙ガイド６３、排紙トレイ６４等を備えている。このうち排紙ガイド６３は、上述の左指示板２０の左端側の上面に、右上がりの傾斜面として形成されている。
【００３９】
給紙トレイ６１には、載置された原稿Ｇの後端及び前端（原稿Ｇの搬送方向に向かってみた場合の左端及び右端）の位置を規制するサイド規制板６５，６６が前後方向（原稿Ｇの先端における通紙幅方向）に移動自在に配設されている。これらサイド規制板６５，６６の間には、例えば、ラック＆ピニオン等の連動機構（不図示）が介装されていて、給紙トレイ６１の通紙幅方向の中心に向けて一方のサイド規制板６５（又は６６）を移動させると、他方のサイド規制板６６（又は６５）も同様に中心に向かって移動し、また、この逆に、一方のサイド規制板６５（又は６６）を中心から遠ざかる方向に移動させると、他方のサイド規制板６６（又は６５）も同様に中心から遠ざかる方向に移動する。つまり、給紙トレイ６１上に原稿Ｇを載置した後、サイド規制板６５，６６をそれぞれ原稿Ｇの後端及び前端に押し当てることにより、通紙幅の異なる種々の原稿Ｇを給紙トレイ６１の通紙幅方向の中央に配置することができる。すなわち、自動原稿給送装置６０を使用して原稿Ｇを流し読みする場合には、原稿Ｇは中央基準で読み取られるようになっている。
【００４０】
給紙トレイ６１には、載置された原稿Ｇの通紙幅を検知するためのサイズ検知センサ（不図示）が配置されている。上述のように、給紙トレイ６１に載置された原稿Ｇは、サイド規制板６５，６６がそれぞれ後端，前端に当接されることで、給紙トレイ６１の前後方向の中央に位置決めされる。サイズ検知センサは、このときのサイド規制板６５，６６の位置を検知することで、原稿Ｇの通紙幅を検知することができる。
【００４１】
上述構成の画像読取装置１１は、原稿Ｇの画像を読み取る際に、原稿Ｇを固定して光源１２を移動させる固定読みと、光源１２を固定して原稿Ｇを移動させる流し読みとの双方を行うことができる。また、いずれの場合も、原稿Ｇの照射に必要なＬＥＤ素子のみが点灯され、照射に寄与しないＬＥＤ素子は消灯されるようになっている。
【００４２】
前者の固定読みに際しては、自動原稿給送装置６０を開放して、原稿Ｇをコンタクトガラス１８上にセットする。このとき、原稿Ｇの左端を左指示板２０に当接させ、また後端を後指示板２１に当接させて後端基準でセットする。自動原稿給送装置６０を原稿Ｇの上から閉鎖すると、一旦、光源１２のすべてのＬＥＤ素子Ｌ１〜Ｌ２２が点灯され、原稿Ｇからの反射光がＣＣＤ１４に入射される。このときの通紙幅方向に沿っての入射光の違いに基づいて、原稿Ｇのサイズ（通紙幅）が検知される。制御手段７０は、この検知結果に基づいて、画像読取りの際に点灯されるＬＥＤ素子を決定する。例えば、後端基準でコンタクトガラス１８にセットされた原稿が、Ａ４の縦（長方形の長辺が長手方向と一致する）の場合には、上述のように、ＬＥＤ素子Ｌ１〜Ｌ１６の合計１６個のＬＥＤ素子が点灯されることになる。
【００４３】
つづいて、作業者が筐体１６に取り付けられている操作パネル８０（図１参照）を操作して読取開始ボタン（不図示）を押す。これにより、照明用光学移動枠ユニット２３が原稿Ｇの左端よりも左側の読取開始位置に配置され、ここから右方に移動する。これに伴い、照明用光学移動枠ユニット２３に搭載されている光源１２が原稿Ｇの画像面を読取ラインＬに沿って照射（主走査）しながら、右方に移動して副走査し、原稿Ｇの画像面をその全領域にわたって、光照射する。画像面からの反射光は、さらに第１ミラー２７，第２ミラー２８，第３ミラー３２で反射され、結像レンズ１３を介して、ＣＣＤ１４に導かれる。これにより、原稿Ｇの画像面が全領域にわたって読み取られる。
【００４４】
一方、後者の流し読みに際しては、自動原稿給送装置６０を閉鎖した状態で、給紙トレイ６１上に原稿Ｇをその画像面を上に向けた状態で載置し、原稿Ｇの後端及び前端にサイド規制板６５，６６を当接させることで、原稿Ｇを給紙トレイ６１の中央にセットする。これにより、原稿Ｇの通紙幅が検知される。操作パネル８０の読取開始ボタンを押すと、照明用光学移動枠ユニット２３が左指示板２０の左側のコンタクトガラス１８ａの画像読取部Ｒの下方の読取位置に移動する。給紙トレイ６１上の原稿Ｇは、搬送ローラ６２等によって画像読取部Ｒに搬送される。このとき、光源１２から照射された照射光は、画像読取部Ｒを通過する原稿Ｇの画像面によって反射され、上述の固定読みの場合と同様、第１ミラー２７，第２ミラー２８，第３ミラー３２で反射され、結像レンズ１３を介して、ＣＣＤ１４に導かれる。これにより、原稿Ｇの画像面が全領域にわたって読み取られる。流し読みに際し、例えば、原稿ＧがＡ４の縦通しの場合には、ＬＥＤ素子Ｌ１〜Ｌ２２のうち、中央側のＬＥＤ素子Ｌ４〜ＬＥＤ素子Ｌ１９が点灯され、外側のＬＥＤ素子Ｌ１〜Ｌ３及びＬＥＤ素子Ｌ２０〜Ｌ２２は消灯される。
【００４５】
本実施形態では、点光源であるＬＥＤ素子Ｌ１〜Ｌ２２は、図１に示す制御手段７０によって、点灯条件を個別に制御することができるようになっている。例えば、ＬＥＤ素子の点灯個数及びどのＬＥＤ素子が点灯されるかは、制御手段７０によって制御される。
【００４６】
図３に示す固定読みの例では、制御手段７０は、以下のサイズの原稿Ｇに対して、以下のＬＥＤ素子を点灯させるようにしている。
【００４７】
Ａ６Ｒ：ＬＥＤ素子Ｌ１〜Ｌ９
Ｂ６Ｒ：ＬＥＤ素子Ｌ１〜Ｌ１１
Ａ５Ｒ：ＬＥＤ素子Ｌ１〜Ｌ１２
Ｂ５Ｒ：ＬＥＤ素子Ｌ１〜Ｌ１４
Ａ４Ｒ：ＬＥＤ素子Ｌ１〜Ｌ１６
Ｂ５，Ｂ４：ＬＥＤ素子Ｌ１〜Ｌ１９
Ａ４，Ａ３：ＬＥＤ素子Ｌ１〜Ｌ２２。
【００４８】
逆に言うと、上述のＬＥＤ素子以外のＬＥＤ素子、つまり原稿の照射に寄与しないＬＥＤ素子は、消灯するようにしている。上述の例では、ＬＥＤ素子Ｌ１〜Ｌ９は、いずれのサイズ（通紙幅）の原稿Ｇに対しても点灯することになり、原稿Ｇのサイズが大きくなるほど、点灯させるＬＥＤ素子が多くなることがわかる。上述のように、原稿Ｇの読取に寄与しないＬＥＤ素子は、消灯するようにすることにより、光源１２及びその近傍の昇温を抑制するとともに、電力の浪費を防止するようにしている。
【００４９】
流し読みの場合も同様に、原稿Ｇの通紙幅に対応するＬＥＤ素子のみを点灯し、それ以外の照射に寄与しないＬＥＤ素子は消灯するようにしている。流し読みでは、原稿Ｇは、中央基準で給紙トレイ６１上にセットされ、ＬＥＤ素子Ｌ１〜Ｌ２２の中央を通過するので、原稿Ｇのサイズ（通紙幅）にかかわらず、原稿Ｇに対応する中央側のいくつかのＬＥＤ素子は常時点灯され、それ以外の外側（前側及び後側）のＬＥＤ素子が消灯される。そして、原稿Ｇの通紙幅が広くなるほど、点灯されるＬＥＤ素子が増加することになる。
【００５０】
本実施形態では、ＬＥＤ素子Ｌ１〜Ｌ２２として、白色ＬＥＤ素子を使用した。白色ＬＥＤ素子は、カラーの原稿Ｇの読取りや高速での原稿Ｇの読取りに適しているが、高輝度であるため、点灯時の発熱量が多いという欠点がある。
【００５１】
そこで、本実施形態では、図１に示すように、ＬＥＤ素子Ｌ１〜Ｌ２２及びこれによって熱せられる他部材（温度管理対象部材）、例えば光源用メイン基盤２５やコンタクトガラス１８，１８ａを冷却するために、冷却ファン７１として給気ファン７２及び排気ファン７３を設けた。ところで、冷却ファン７１を回転させると、騒音が発生し、また、電力を消費することになる。したがって、冷却ファン７１の運転は、必要最小限とすることが好ましい。以下では、この前提に基づいて、制御手段７０により、冷却ファン７１の運転制御を行うようにしている。
【００５２】
図１に示す例では、冷却ファン７１として、筐体１６の左側壁４５に給気ファン７２を設け、また筐体１６の底板７４に排気ファン７３を設けている。前後方向の位置については、給気ファン７２、排気ファン７３のいずれも左側壁４５、底板７４のほぼ中央に設けた。その理由は、給気ファン７２及び排気ファン７３によって形成される空気の流れが、前後方向に長い光源１２の中央近傍で最も円滑に流れるようにするためである。すなわち、複数枚の原稿Ｇの画像を連続的に読み取る際には、主に自動原稿給送装置６０を使用することになり、この場合には、原稿Ｇが中央基準で読み取られるために、ＬＥＤ素子Ｌ１〜Ｌ２２のうち、中央側に位置するＬＥＤ素子が連続的に使用されて、光源１２は、中央側で昇温が激しくなるからである。給気ファン７２には、筐体１６の内側の収納室Ｓに塵埃が入り込むことを防止するために、フィルタ７５が取り付けられている。収納室Ｓに塵埃が入り込むと、塵埃が第１ミラー２７，第２ミラー２８，第３ミラー３２や結像レンズ１３に付着して光路を遮断するため、画像に黒筋ができたりするおそれがあるからである。
【００５３】
冷却ファン７１は、上述のＬＥＤ素子Ｌ１〜Ｌ２２の点灯個数を制御する制御手段７０によって運転制御される。すなわち、冷却ファン７１の回転及び停止は、光源１２、光源用メイン基板２５、プラテンガラス１８，１８ａ等が、ある決まった所定の温度以上にならないように、制御手段７０によって決定される。この場３合、制御手段７０は、冷却ファン７１を必要以上に回転させないようにすることで、冷却ファン７１の回転による騒音を低減し、電力の浪費を防止するようにしている。
【００５４】
図５に、ＬＥＤ素子の累積点灯時間と光量との関係を示す。同図の横軸には累積点灯時間を時間（Ｈ）の単位で示し、また、縦軸には光量を％で示している。ここで、光量１００％とは、ＬＥＤ素子の使用開始時に、規定の点灯電流値の電流を流したときの光量をいい、また、その同じ点灯電流値の電流を流したときの光量が８０％になる時間を寿命と決めている。同図からわかるように、ＬＥＤ素子の寿命は、ほぼ１００００時間である。この１００００時間は、前述のように、従来、画像読取装置の棒状の光源として使用されていたキセノンランプの寿命が約１０００時間であるのと比較して、格段に長い時間であり、また、画像読取装置や画像形成装置（例えば、プリンタ，複写機）と比較しても相当長い時間である。このように、光源１２としてＬＥＤ素子が使用された場合には、そのＬＥＤ素子は、リユース品として、次の画像読取装置に再利用される機会が増える。
【００５５】
そこで、本実施形態では、ＬＥＤ素子（光源素子）を使用した光源を１２を、その構成や機能に適した方法で再利用できるようにした。すなわち、ＬＥＤ素子の構成が簡単であり、またその機能が光の照射といった単純な機能であることに合わせて、簡単な方法で、信頼性のある再利用を可能にした。以下、詳述する。
【００５６】
図１に示すように、制御手段７０は、記憶手段７０ａと、表示手段７０ｂと、更新手段７０ｃと、累積点灯時間検出手段７０ｄとを有している。また、操作パネル８０には、液晶パネル等で構成された表示部８１と、テンキーを含む入力手段８２が設けられている。このうち、記憶手段７０ａは、光源１２の累積点灯時間を記憶するものである。ここでは、累積点灯時間は、ＬＥＤ素子の個別の累積点灯時間ではなく、光源１２としての累積点灯時間とする。上述のように、ＬＥＤ素子は、画像読取時に、原稿Ｇの通紙幅に応じて、点灯されるものと、消灯されるものとがある。このため、ここのＬＥＤ素子については、累積点灯時間にばらつきが生じる。そこで、本実施形態では、累積点灯時間は、光源１２としての累積時間を採用した。例えば、１個でもＬＥＤ素子が点灯していれば、その点灯時間を累積点灯時間に組み入れるようにした。表示手段７０ｂは、上述の記憶手段７０ａに記憶されている累積点灯時間を、図１に示す操作パネル８０上に設けられた液晶パネル等の表示部８１に表示させるものである。
【００５７】
図７（ａ），（ｂ）に表示部８１の例を示す。このうち（ａ）は、光源１２が取り外される側の画像読取装置（前の画像読取装置）１１の表示部８１を示し、（ｂ）は、この光源１２が取り付けられる側の画像読取装置（次の画像読取装置）１１の表示部１１を示す。いずれの表示部８１も、累積点灯時間（同図では光源点灯時間）が表示される部分８１ａと、残余点灯時間（同図では、残点灯時間）が表示される部分８１ｂとを有している。なお、残余点灯時間は、あらかじめ設定されている光源１２の寿命から累積点灯時間を引いた時間として算出されるようになっている。表示手段７０ｂによる累積点灯時間の表示は、例えば、サービスマンが、操作パネル８０を操作して行うサービスシュミレーションモードによって表示されるようになっている。更新手段７０ｃは、上述の入力手段８２からサービスマン等の手動により累積点灯時間が入力されたときに、すでに記憶手段７０ａに記憶されている累積点灯時間を、入力手段８２から入力された累積点灯時間に更新するものである。
【００５８】
また、本実施形態では、制御手段７０は、累積点灯時間を自動的に検出する累積点灯時間検出手段７０ｄ、及びこの累積点灯時間検出手段７０ｄの動作を一定の条件の下でキャンセルするキャンセル手段７０ｅを備えている。累積点灯時間の自動検出は、画像読取装置１１が行うシャーディング補正時に実施される。上述のように、複数のＬＥＤ素子からなる光源１２は、点灯電流が一定の場合、累積点灯時間が増加するにしたがって、光量が低下していく。これを利用して、シェーディング補正時に、同じ点灯電流で光源１２を点灯させたときのＣＣＤ１４の出力から逆算して、光源１２の累積点灯時間を検出することができる。検出された累積点灯時間は、更新手段７０ｃによって記憶手段７０ａに記憶される。なお、累積点灯時間検出手段７０ｅを使用した方法は、上述のように、累積点灯時間を間接的に検出しているため、直接的に検出した場合と比較して誤差が大きい。したがって、直接的に検出した累積点灯時間が明らかな場合は、こちらを優先させる。つまり、入力手段８２によって累積点灯時間が入力された場合（一定の条件）には、キャンセル手段７０ｅによって、累積点灯時間検出手段７０ｄの動作がキャンセルされるようになっている。
【００５９】
図６のフローチャートを参照して、前の画像読取装置１１に装着されていた光源１２をリユース品として取り外し、次の画像読取装置１１で再利用する際の動作の流れを説明する。なお、前の画像読取装置１１と次の画像読取装置１１とは、本発明に係る部分の構成及び作用が同じであるものとして説明する。
【００６０】
サービスマンは、前の画像読取装置１１から光源１２をリユース品として取り外す際、操作パネル８０の入力手段８２を操作して、サービスマンシュミレーションモードを行う（ステップＳ１。以下「Ｓ１」のように略記する。）。これにより、現在取り付けられている光源１２の累積点灯時間が、操作パネル８０の表示部８１に表示部８１に表示される（Ｓ２）。サービスマンは、この累積点灯時間を確認し、前の画像読取装置１１から光源１２を取り外す（Ｓ１１）。さらに、サービスマンは、この光源１２を次の画像読取装置１１に取り付ける。このとき、次の画像読取装置１１の入力手段８２から光源１２の累積点灯時間を手動で入力する。この入力があった場合には（Ｓ３の「ＹＥＳ」）、制御手段７０は、手動で入力された累積点灯時間を記憶手段７０ａに記憶する。この際、記憶手段７０ａにすでに他の光源の累積点灯時間が記憶されている場合にはこれを消去して、入力された累積点灯時間を記憶して、動作を終了する。
【００６１】
一方、Ｓ３において、累積点灯時間の入力ができなかった場合、例えば、サービスマンが前の画像読取装置１１から光源１２を取り外す際に、光源１１の累積点灯時間の確認をしなかった場合や、確認はしたが、次の画像読取装置１１に光源を取り付けた際にその入力をしなかった場合には（Ｓ３の「ＮＯ」）、累積点灯時間検出手段７０ｅによって、取り付けられた光源１２の累積点灯時間の検出が行われる（Ｓ５）。この検出結果は、更新手段７０ｄにより、記憶手段７０ａに更新記憶され、動作が終了する。
【００６２】
なお、累積点灯時間検出手段７０ｄによる累積点灯時間の検出は、次の画像読取装置１１に光源１２が取り付けられた後、所定時間が経過しても、入力手段８２からの手動による入力がない場合に実行するようにすればよい。
【００６３】
また、このほかに、例えば、通常の処理を、累積点灯時間検出手段７０ｄにより累積点灯時間を自動的に検出する処理として設定しておき、次の画像読取装置１１に光源１２が取り付けられてから所定時間内に、入力手段８２からの手動による入力があった場合に限り、キャンセル手段７０ｅによって累積点灯時間検出手段７０ｄの動作をキャンセルするようにしてもよい。
【００６４】
いずれも場合も、累積点灯時間が、入力手段８２により手動で入力された場合には、その累積点灯時間が記憶手段７０ａも入力される。
【００６５】
こうして、記憶手段７０ａに記憶された累積点灯時間は、光源１２が点灯されるのに伴って、順次、更新して記憶される。そして、更新記憶された累積点灯時間を、操作パネル８０の操作によっていつでも確認できるようになっている。したがって、ユーザは、現在使用中の画像読取装置１１に装着されている光源１２の累積点灯時間、あるいは累積点灯時間と寿命とから算出した残余点灯時間、つまり後、あと何時間位使用できるかを知ることができる。
【００６６】
本実施形態によると、光源１２を次の画像読取装置１１で再利用する際に、その光源１２の累積点灯時間がわかるので、光源１２の寿命から逆算して、その光源の残余点灯時間（寿命までの使用可能な時間）を知ることができる。また、累積点灯時間や残余点灯時間を比較的簡単な構成で、精度よく知ることができる。さらにこれにより、リユース品としての光源１２が寿命に達する前に、あらかじめ次の光源１２の準備をすることが可能であり、また、例えば、リユース品の累積点灯時間を知らないでリユース品が比較的、短時間で寿命に達した場合に予想されるユーザのクレーム等を防止して装置に対する信頼性を高めることができる。
【００６７】
上述では、光源１２の寿命を、累積点灯時間と残余点灯時間との和として、捉えた場合を説明したが、これに代えて、寿命に対して、光源１２の点灯条件を加味するようにしてもよい。
【００６８】
例えば、ＬＥＤ素子は、その点灯電流の多寡に対応して、明暗（光量）を調整できることが知られている。そして、ＬＥＤ素子の寿命は、その点灯電流の多寡によって左右されることになる。そこで、累積点灯時間を記憶する際に、点灯電流値に応じて、累積点灯時間を記憶装置７０ａに記憶する。例えば、点灯電流値に応じて、係数を設定し、点灯時間にその係数をかけて、重み付けをし、その結果を累積点灯時間として記憶するようにする。これによると、光源１２の累積点灯時間を、その画像読取装置の実際の稼動状況に近い形で知ることができ、この結果、より高い精度で、残余点灯時間を予想することが可能となる。
【００６９】
＜実施形態２＞
図８を参照して、本発明に係る画像読取装置１１を備えた画像形成装置１（本発明に係る画像形成装置）の一例を説明する。同図は、画像形成装置１を正面側から見た模式図である。なお、同図に示す画像形成装置１は、電子写真方式のプリンタ，複写機等の画像形成装置である。
【００７０】
同図に示すように、画像形成装置１には、シート給送部２と、画像形成部３と、定着部４と、シート排出部５とが設けてある。このうち、シート給送部２には、給紙カセット２ａ、給紙ローラ２ｂ、給送ローラ２ｃ、リタードローラ２ｄ、搬送ローラ２ｅ、レジストローラ２ｆ等が配設されている。給紙カセット２ａ内に積層状態で収納された複数枚のシートＰは、その最上位のものが、給送ローラ２ｂによって給紙され、給送ローラ２ｃ及びリタードローラ２ｄによって重送を防止されて１枚だけ下流側に給送される。さらには搬送ローラ対２ｅによって停止中のレジストローラ対２ｆに当接されて、斜行が矯正される。シートＰは、その後、画像形成部３の感光ドラム３ａ上に形成されたトナー像にタイミングを合わせるようにして、画像形成部３に供給される。
【００７１】
画像形成部３には、感光ドラム３ａ、帯電ローラ３ｂ、露光装置３ｃ、現像装置３ｄ、テンションローラ３ｅ、クリーニング装置３ｆ等が配設されている。感光ドラム３ａは、矢印方向（時計回り）に回転駆動され、帯電ローラ３ｂによって所定の極性・電位に一様に帯電される。帯電後の感光ドラム３ａは、露光装置３ｃによる露光により、露光部分の電荷が除去されて静電潜像が形成される。この露光は、上述の画像読取装置１１によって読み見取られた原稿の画像情報に基づいて行われる。
【００７２】
感光ドラム３ａ上に形成された静電潜像は、現像装置３ｄによってトナーが付着されてトナー像として現像される。
【００７３】
このトナー像は、感光ドラム３ａと転写ローラ３ｅとの間に形成される転写ニップ部において、上述のシート給送部２から供給されたシートＰに転写される。
【００７４】
トナー像転写後の感光ドラム３ａは、表面に残ったトナー（転写残トナー）がクリーニング装置３ｆによって除去され、次の画像形成に供される。
【００７５】
一方、トナー像転写後のシートＰは、定着部４において、定着ローラ４ａと加圧ローラ４ｂとに間に形成される定着ニップ部を通過する際に、加熱・加圧されて表面にトナー像が定着される。トナー像定着後のシートＰは、排紙ローラ対５ａによって、排紙トレイ５ｂ上に排出される。
【００７６】
上述の画像形成装置１においては、上述の画像読取装置１１における効果を、画像形成装置１として奏することができる。
【００７７】
なお、上述では、画像形成装置１が電子写真方式の画像形成装置である場合を例に説明したが、本発明はこれに限定されるものではなく、静電記録方式、インクジェット方式、ワイヤドット方式、熱転写方式等の画像形成装置に対しても適用することができる。
【産業上の利用可能性】
【００７８】
上述では、本発明を画像読取装置に使用する場合を例に説明したが、本発明は、これ以外に例えば、点光源である光源素子を複数、ライン状に整列させて光源を構成し、光源を再利用する一般的な場合にも広く適用することができる。
【図面の簡単な説明】
【００７９】
【図１】画像読取装置の縦断面を正面側（前側）から見た図であり、光学系を説明する図である。
【図２】画像読取装置の縦断面を正面側（前側）から見た図であり、駆動系を説明する図である。
【図３】光源と原稿のサイズと画像読取時の原稿の位置との関係を説明する上面図であり、原稿サイズがＡ列，Ｂ列である場合を説明する図である。
【図４】光源と原稿のサイズと画像読取時の原稿の位置との関係を説明する上面図であり、原稿サイズがインチサイズである場合を説明する図である。
【図５】ＬＥＤ素子の累積点灯時間を光量との関係を説明する図である。
【図６】光源を再利用する際の流れを説明するフローチャートである。
【図７】（ａ），（ｂ）は、画像読取装置の表示部に表示される内容を説明する図である。
【図８】本発明に係る画像読取装置を備えた画像形成装置を正面側から見た模式図である。
【符号の説明】
【００８０】
１……画像形成装置、２……シート供給部、３……画像形成部、１０……照明装置、１１……画像読取装置、１２……光源、１３……結像レンズ、１４……ＣＣＤ（固体撮像素子、電流検知手段）、１５……駆動装置（移動装置）、６０……自動原稿給送装置（移動装置）、７０……制御手段、７０ａ……記憶手段、７０ｂ……表示手段、７０ｃ……更新手段、７０ｄ……累積点灯時間検出手段、７０ｅ……キャンセル手段、８０……操作パネル、８１……表示部、８２……入力手段、Ｇ……原稿、Ｌ１〜Ｌ２２……ＬＥＤ素子（光源素子）
【図１】
2008177663.tif 000003
【図２】
2008177663.tif 000004
【図３】
2008177663.tif 000005
【図４】
2008177663.tif 000006
【図５】
2008177663.tif 000007
【図６】
2008177663.tif 000008
【図７】
2008177663.tif 000009
【図８】
2008177663.tif 000010